(57)【特許請求の範囲】
【請求項１】
省エネルギーモード時に電力供給が停止され、前記省エネルギーモードである間、前記省エネルギーモードであることを表す信号の出力を維持する主制御部と、
前記主制御部に対する電力供給のオンオフを切り替える第１切替部と、
公衆回線から入力される入力信号を検出すると前記省エネルギーモードからの復帰を表す信号を出力する論理回路と、
前記省エネルギーモードであることを表す信号と、前記省エネルギーモードからの復帰を表す信号と、が入力され、これらの信号の論理積を取って、前記第１切替部をオンにするスイッチ制御信号を出力するＡＮＤ回路と、
を備えるファクシミリ制御装置。
【請求項２】
前記論理回路は、前記入力信号としてリンギング信号を検出すると前記省エネルギーモードからの復帰を表す信号を出力する、
請求項１に記載のファクシミリ制御装置。
【請求項３】
前記論理回路は、前記入力信号として極性反転を表す極性反転信号を検出すると前記省エネルギーモードからの復帰を表す信号を出力する、
請求項１に記載のファクシミリ制御装置。
【請求項４】
前記論理回路は、前記極性反転信号を検出し、かつ、前記入力信号としてリンギング信号を検出すると前記省エネルギーモードからの復帰を表す信号を出力する、
請求項３に記載のファクシミリ制御装置。
【請求項５】
前記論理回路は、前記極性反転信号を検出した後に、前記入力信号としてリンギング信号を検出すると前記省エネルギーモードからの復帰を表す信号を出力する、
請求項４に記載のファクシミリ制御装置。
【請求項６】
前記省エネルギーモード時に電力供給が停止されるモデムと、
前記モデムに接続され、前記省エネルギーモード時に電力供給が停止される二次側回線制御デバイスと、
前記モデムに対する電力供給のオンオフを切り替える第２切替部と、
前記二次側回線制御デバイスに対する電力供給のオンオフを切り替える第３切替部と、をさらに備え、
前記ＡＮＤ回路は、前記第１切替部、前記第２切替部、および前記第３切替部をオンにするスイッチ制御信号を出力する、
請求項１に記載のファクシミリ制御装置。
【発明の詳細な説明】
【技術分野】
【０００１】
本発明は、ファクシミリ制御装置に関する。
【背景技術】
【０００２】
ファックスコントロールユニット（ＦＣＵ）の消費電力低減のため、消費電力の高い中央演算装置（ＣＰＵ（主制御部））、モデムおよび二次側回路の電力供給をほとんど停止し、その代用として省エネ用ＣＰＵを設ける技術が知られている。この技術では、電話回線からリンギングがあった場合は、リンギング信号をまず省エネＣＰＵに入力させ、省エネＣＰＵからモデムに割込み信号を入れることで、モデムや二次側回路を復帰させる。
【０００３】
しかし、今までの省エネ方式では、結局省エネＣＰＵが電力を消費するという問題、および、省エネＣＰＵを設けなければならず、コストアップするという問題があった。また、モデム、二次側回路、および主制御部それぞれに対して省エネから復帰させるため、省エネＣＰＵからの割込み信号を検出する部分に対しては、依然として電力を供給し続ける必要があり、やはり電力を消費してしまう問題があった。
【０００４】
例えば、特許文献１には、ＦＣＵの消費電力を削減する目的で、省エネＣＰＵを別途設けて、モデム、二次側回路、および主制御部の電力を停止する方法が開示されている。しかしながら、省エネＣＰＵが電力を消費する問題や、別途省エネＣＰＵを設けることでコストアップするという問題は解決できていない。また、モデム、二次側回路、および主制御部それぞれに対して省エネから復帰させるため、省エネＣＰＵからの割込み信号を検出する部分に対しては、依然として電力を供給し続ける必要がある。
【発明の概要】
【発明が解決しようとする課題】
【０００５】
本発明は、上記実情に鑑みてなされたものであって、省エネＣＰＵを用いずに、省エネルギーモードの実現および省エネルギーモードからの復帰が可能なファクシミリ制御装置を提供することを目的とする。
【課題を解決するための手段】
【０００６】
上述した課題を解決し、目的を達成するために、本発明は、省エネルギーモード時に電力供給が停止され、前記省エネルギーモードである間、前記省エネルギーモードであることを表す信号の出力を維持する主制御部と、前記主制御部に対する電力供給のオンオフを切り替える第１切替部と、公衆回線から入力される入力信号を検出すると前記省エネルギーモードからの復帰を表す信号を出力する論理回路と、前記省エネルギーモードであることを表す信号と、前記省エネルギーモードからの復帰を表す信号と、が入力され、これらの信号の論理積を取って、前記第１切替部をオンにするスイッチ制御信号を出力するＡＮＤ回路と、を備える。
【発明の効果】
【０００７】
本発明によれば、省エネＣＰＵを用いずに、省エネルギーモードの実現および省エネルギーモードからの復帰が可能なファクシミリ制御装置を提供することが可能となる。
【図面の簡単な説明】
【０００８】
【図１】本実施形態のＦＡＸコントローラボードのブロック図である。
【図２】リンギング信号検出回路のブロック図である。
【図３】フォトカプラの機能を示す波形図である。
【図４】フリップフロップの入出力関係を表した図である。
【図５】ゲートアレイを用いて実現したリンギング信号検出回路のブロック図である。
【図６】ＦＰＧＡを用いて実現したリンギング信号検出回路のブロック図である。
【図７】他の実施形態のＦＡＸコントローラボードのブロック図である。
【図８】極性反転検出回路の構成例を示すブロック図である。
【図９】他の実施形態のＦＡＸコントローラボードのブロック図である。
【図１０】従来のＦＡＸコントローラボードのブロック図である。
【発明を実施するための形態】
【０００９】
本実施形態は、モデム、二次側回路、および主制御部の電源制御に際して、少なくとも以下の特徴を有する。
【００１０】
本実施形態では、省エネＣＰＵを用いてリンギング信号を検出するのではなく、フリップフロップのような簡単な論理回路（ＣＭＯＳ（Complementary  Metal  Oxide  Semiconductor）ロジックなど）を使ってリンギング信号を検出する。また、本実施形態では、リンギング信号を検出した場合に、モデム、二次側回路、および主制御部などのデバイスに割込みを入力させるのではなく、各デバイスの電源に実装したスイッチを制御することにより各デバイスの電源のオンオフを制御する。本実施形態の特徴について、図面を参照して詳細に解説する。
【００１１】
本実施形態との対比のため、最初に図１０を参照する。図１０は、従来のＦＡＸコントローラボードのブロック図である。
【００１２】
従来のＦＡＸコントローラボード１００は、一次側回線制御デバイス２、二次側回線制御デバイス４、モデム５、ＣＰＵ６、および省エネＣＰＵ１０等を備えている。また、ＦＡＸコントローラボード１００は、公衆回線３と接続し、ＦＡＸ送受信を行う。
【００１３】
一次側回線制御デバイス２は、公衆回線３に接続されており、公衆回線３からの局給電を使って動作する。また、一次側回線制御デバイス２は、リンギング信号検出回路１１を備えている。リンギング信号検出回路１１は、公衆回線３に接続されており、公衆回線３上のリンギング信号の有無を検出する。
【００１４】
二次側回線制御デバイス４は、モデム５が接続される。モデム５は、スキャナ７で読み取られたデジタル画像情報やＣＰＵ６から入力される各種プロトコル信号を、公衆回線３上に送信するために、アナログ信号に変調する。また、モデム５は、相手先から公衆回線３を介して送られるアナログ信号である画像情報や各種プロトコル信号を復調してデジタル信号に変更する。プロッタ８は、このデジタル信号に基づいて、感熱紙や普通紙等に画像を形成する。
【００１５】
操作部９は、テンキー、スタートキー、ワンタッチキーおよびファンクションキー等の各種操作キーを備えるとともに、例えば液晶ディスプレイ等のディスプレイ（表示部）を備える。操作キーからは、送信操作等の各種命令が入力される。ＣＰＵ６は、入力されるキー操作の内容を取得する。
【００１６】
ＦＡＸコントローラボード１００は、ファックスコントロールユニット（ＦＣＵ）とも呼ぶ。ＦＡＸコントローラボード１００、スキャナ７、プロッタ８、および操作部９を含めた装置全体が省エネ状態に入るとき、二次側回線制御デバイス４、モデム５、ＣＰＵ６、スキャナ７、プロッタ８、および操作部９の電力供給（電源供給）を停止ないし低減する。そして、リンギング信号検出回路１１は、リンギング信号を検出したとき、検出したリンギング信号を、まず、省エネＣＰＵ１０に入力する。このとき、省エネＣＰＵ１０は、割込み信号を二次側回線制御デバイス４、モデム５、およびＣＰＵ６に入力し、省エネ状態から復帰させる。したがって、従来のＦＡＸコントローラボード１００では、割込み信号を受ける二次側回線制御デバイス４、モデム５、およびＣＰＵ６は、通常時よりは少ないながらも依然として電力の供給を受ける必要がある。また、省エネＣＰＵ１０自体が電力を消費してしまう。また、省エネＣＰＵ１０を新たに設けることによるコストアップも生じる。
【００１７】
図１は、本実施形態のＦＡＸコントローラボード１の構成例を示すブロック図である。図１０と同様の機能を備える構成部には同じ符号を付し、説明を省略する。本実施形態のＦＡＸコントローラボード１は、従来のＦＡＸコントローラボード１００に備えられたリンギング信号検出回路１１とは別に、リンギング信号検出回路１２を備えている。また、二次側回線制御デバイス４、モデム５、およびＣＰＵ６の電源には、それぞれ各電源を制御するスイッチ（ＳＷ）１３、１４、および１５が備えられる。なお、本実施形態では、省エネＣＰＵ１０を備える必要はない。また、スイッチ１３、１４、および１５のうち、いずれか２つ以上を共通化し、電力の供給先の回路等の個数より少ない個数のスイッチを用いるように構成してもよい。
【００１８】
スイッチ１３、１４、１５は、スイッチ制御信号Ｓ４によってオン／オフ制御される。例えば、スイッチ１３、１４、１５は、スイッチ制御信号Ｓ４がＬｏｗのときオンされ、Ｈｉｇｈのときオフされる。スイッチ制御信号Ｓ４は、ＡＮＤ回路であるロジック１８（ＡＮＤゲート）の出力信号である。
【００１９】
スイッチ１３、１４、１５は、省エネ復帰信号Ｓ１および電源オンオフ制御信号Ｓ５のいずれか一方がＬｏｗのときオンされ、省エネ復帰信号Ｓ１および電源オンオフ制御信号Ｓ５が共にＨｉｇｈのときオフされる。スイッチ１３、１４、１５は、ＣＰＵ６によって、通常時はオンになっている。すなわち、省エネルギーモード時ではない通常時には、ＣＰＵ６は、電源オンオフ制御信号Ｓ５としてＬｏｗを出力する。ある一定時間以上、操作部９上で操作がなく、また、公衆回線３からリンギング信号が検出されなかった場合、ＣＰＵ６は電源オンオフ制御信号Ｓ５としてＨｉｇｈを出力することにより、スイッチ１３、１４、１５をオフにする。これにより、ＦＡＸコントローラボード１は、省エネルギーモードに移行する。ＦＡＸコントローラボード１が省エネルギーモードになると、ＣＰＵ６の電源が落ちる。このため、ＣＰＵ６の出力はハイインピーダンスになるが、電源オンオフ制御信号Ｓ５の信号線はプルアップされており（図示せず）、電源オンオフ制御信号Ｓ５はＨｉｇｈを維持する。
【００２０】
その後、リンギング信号検出回路１２は、公衆回線３からリンギング信号を検出した場合、省エネ復帰信号Ｓ１をＬｏｗにする。これによりスイッチ１３、１４、１５がオンとなる。そして、モデム５、二次側回線制御デバイス４、およびＣＰＵ６が立ち上がり、通常通りのＦＡＸ受信が開始される。リンギング信号検出回路１２は、例えばフリップフロップ等のＣＭＯＳロジックで構成される。ＣＭＯＳロジックの消費電力は数ｕＷ程度であり、省エネＣＰＵの消費電力の１／１０程度で済ませることができる。 
【００２１】
図２は、リンギング信号検出回路１２の構成例を示すブロック図である。図２に示すように、リンギング信号検出回路１２は、フォトカプラ１７と、フリップフロップ１６とを備えている。フォトカプラ１７は、公衆回線３に接続される。フリップフロップ１６は、フォトカプラ１７の出力とＣＰＵ６とによって制御され、省エネ復帰信号Ｓ１を出力する。
【００２２】
図３は、フォトカプラ１７の機能を示す波形図である。公衆回線３から呼出信号（リンギング信号）が検出されると、ＴＩＰ−ＲＩＮＧ間では、図３のＴＩＰ−ＲＩＮＧ間電圧として示す波形が、フォトカプラ１７の発光部に入力される。フォトカプラ１７の受光部は、発光部が発光すればオンされ、発光しなければオフされる。受光部がオンされれば、ＧＮＤに接続されるので、フォトカプラ出力信号Ｓ２はＬｏｗになる。受光部がオフされれば、電源電圧Ｖｃｃによってプルアップされているので、フォトカプラ出力信号Ｓ２はＨｉｇｈになる。そのため、フォトカプラ出力信号Ｓ２は、図３のような波形になる。
【００２３】
図４は、フリップフロップ１６の入出力関係を表した図である。データには、フォトカプラ出力信号Ｓ２が接続される。データは、ＦＡＸコントローラボード１の通常時はＨｉｇｈであり、省エネルギーモード時もリンギング信号が公衆回線３から入力されなければＨｉｇｈである。データは、リンギング信号が入力されると、ＨｉｇｈおよびＬｏｗを繰り返す。出力イネーブルには、ＣＰＵ６から出力されたフリップフロップ制御信号Ｓ３が接続される。ラッチイネーブル信号には、フォトカプラ出力信号Ｓ２を反転した信号が入力される。出力データは、省エネ復帰信号Ｓ１に接続される。省エネ復帰信号Ｓ１により、スイッチ１３、１４、１５が制御される。
【００２４】
次に、フリップフロップ１６の動作について説明する。ＦＡＸコントローラボード１がスタンバイのとき（通常時）、ＣＰＵ６は、フリップフロップ制御信号Ｓ３を常にＨｉｇｈにしておく。このため、フリップフロップ１６の出力である、省エネ復帰信号Ｓ１は無効になる。
【００２５】
ＦＡＸコントローラボード１が省エネルギーモードになると、ＣＰＵ６の電源が落ちる。このため、ＣＰＵ６の出力はハイインピーダンスになるが、フリップフロップ制御信号Ｓ３上でプルダウンしているため、フリップフロップ制御信号Ｓ３はＬｏｗになる。すると、フリップフロップの出力イネーブルがアサートされ、省エネ復帰信号Ｓ１の出力が開始される。省エネルギーモード時も、公衆回線３からリンギング信号が入力されなければ、フリップフロップ１６のデータはＨｉｇｈが入力され、出力データにもＨｉｇｈが出力される。
【００２６】
公衆回線３からリンギング信号が入力されると、データは、図３および図４の通りＨｉｇｈおよびＬｏｗを繰り返す信号になる。ラッチイネーブル信号は、データを反転した信号である。このため、データがＬｏｗのときは、ラッチイネーブルはＨｉｇｈになり、出力データとしてデータ信号がそのまま出力される。すなわち、出力データとしてＬｏｗが出力される。データがＨｉｇｈのときは、ラッチイネーブルはＬｏｗになるため、出力データとして、１つ前のデータ、すなわちＬｏｗが出力され続ける。
【００２７】
そのため、１度リンギング信号が入力されると、出力データはずっとＬｏｗになり続ける。そして、モデム５、二次側回線制御デバイス４、およびＣＰＵ６に電力供給が開始され、モデム５、二次側回線制御デバイス４、およびＣＰＵ６の動作が開始する。動作が開始したら、通常通り、一次側回線制御デバイス２のリンギング信号検出回路１１が検出したリンギング信号を二次側回線制御デバイス４が受けて、ＦＡＸ受信を開始する。またＣＰＵ６は、フリップフロップ制御信号Ｓ３をＨｉｇｈにしてフリップフロップ１６の出力を停止する。
【００２８】
このようにして、本実施形態に係るＦＡＸコントローラボード１は、省エネＣＰＵを用いないで、少なくとも主制御部（ＣＰＵ６）の電源をオフにする省エネルギーモードを実現する。また、公衆回線３からリンギング信号が入力されたとき、省エネルギーモードから復帰することができる。
【００２９】
したがって、省エネＣＰＵ１０を備える図１０のような従来の方法に比べて、省エネＣＰＵ１０に電力を供給する必要がなく、さらなる省電力が可能となる。また、主制御部と電源の間にスイッチを設けて省エネルギーモード時には電力を供給しない構成であるので、さらなる省電力が可能となる。また、主制御部のみならず、モデム５や二次側回線制御デバイス４にも電源との間にスイッチを設けて省エネルギーモード時には電力供給を絶つ構成であるので、さらなる省電力が可能となる。
【００３０】
なお、本実施形態では、リンギング検出を行い、検出した場合に、モデム、二次側回路、主制御部の電源のスイッチをオンにする論理回路としてＣＭＯＳロジックを用いた。論理回路はこれに限られるものではなく、ゲートアレイやＦＰＧＡ（Field-Programmable  Gate  Array）を用いて実現してもよい。図５は、ゲートアレイを用いて実現したリンギング信号検出回路１２−２の構成例を示すブロック図である。また、図６は、ＦＰＧＡを用いて実現したリンギング信号検出回路１２−３の構成例を示すブロック図である。リンギング信号検出回路１２−３は、フリップフロップ１６と同様の機能をＦＰＧＡ１６−３で実現する。
【００３１】
また、上記実施形態の構成に加えて、さらに極性反転検出回路１９を備えてもよい。図７は、極性反転検出回路１９をさらに備えるＦＡＸコントローラボードの構成例を示すブロック図である。図７に示すようにＦＡＸコントローラボード１−２は、極性反転検出回路１９をさらに備えている。このような構成により、公衆回線３からのリンギング信号だけでなく、極性反転にも備えることが可能になる。極性反転検出回路１９は、公衆回線３からの入力信号として極性反転を表す極性反転信号を検出する。極性反転検出回路１９は、公衆回線３から極性反転を検出した場合、出力信号Ｓ６としてＬｏｗをロジック１８に出力する。図８は、極性反転検出回路１９の構成例を示すブロック図である。図８に示すように、極性反転検出回路１９は、フォトカプラ１７−２を備えている。
【００３２】
なお、図７でリンギング信号検出回路１２を備えず、極性反転検出回路１９の出力信号と、ＣＰＵ６が出力する電源オンオフ制御信号Ｓ５のみをロジック１８に入力するように構成してもよい。これにより、極性反転の検出に応じて省エネルギーモードからの復帰を制御することが可能になる。また、このような構成であれば、リンギング信号検出回路１２と比較して簡単な構成の極性反転検出回路１９を用いることができるため、装置全体の構成を簡略化し、コストを低減することが可能となる。
【００３３】
図９は、極性反転検出回路１９を備えるＦＡＸコントローラボードの他の構成例を示すブロック図である。図９に示すように、ＦＡＸコントローラボード１−３は、極性反転検出回路１９に加えて、ＯＲ回路２０を備えている。ＯＲ回路２０は、省エネ復帰信号Ｓ１および出力信号Ｓ６が共にＬｏｗのときにＬｏｗを出力する。ＯＲ回路２０により、リンギング検出回路１２と極性反転検出回路１９の両方の出力がＬｏｗにならないとスイッチ制御信号Ｓ４がＬｏｗにならない。通常の状態では、リンギング信号が入力される直前に極性反転が起きる。図９の構成によれば、雷ノイズ等のノイズが発生し、例えばリンギング信号および極性反転信号のいずれか一方のみがＬｏｗとなった場合であっても、スイッチ制御信号Ｓ４がＬｏｗにはならない。すなわち、図９の構成によればノイズの影響を低減することが可能となる。
【符号の説明】
【００３４】
１    ＦＡＸコントローラボード
２    一次側回線制御デバイス
３    公衆回線
４    二次側回線制御デバイス
５    モデム
６    ＣＰＵ
７    スキャナ
８    プロッタ
９    操作部
１０    省エネＣＰＵ
１１    リンギング信号検出回路
１２    リンギング信号検出回路
１３、１４、１５    スイッチ（ＳＷ）
１６    フリップフロップ
１７    フォトカプラ
１８    ロジック
１９    極性反転検出回路
Ｓ１    省エネ復帰信号
Ｓ２    フォトカプラ出力信号
Ｓ３    フリップフロップ制御信号
Ｓ４    スイッチ制御信号
Ｓ５    電源オンオフ制御信号
【先行技術文献】
【特許文献】
【００３５】
【特許文献１】特許第３８５０２１４号公報
【図１】
0006007513.tif 000002
【図２】
0006007513.tif 000003
【図３】
0006007513.tif 000004
【図４】
0006007513.tif 000005
【図５】
0006007513.tif 000006
【図６】
0006007513.tif 000007
【図７】
0006007513.tif 000008
【図８】
0006007513.tif 000009
【図９】
0006007513.tif 000010
【図１０】
0006007513.tif 000011